(57)【要約】【課題】低コストでありつつ、長尺紙を大量積載することができる画像形成システムを提供する。【解決手段】用紙後処理装置８と、用紙後処理装置８に設けられ、長尺紙が排紙されるメイントレイ９と、メイントレイ９に排紙された長尺紙を積載するトレイ装置１００１と、を備え、トレイ装置１００１は移動自在に構成される画像形成システム１であって、トレイ装置１００１は、長尺紙を積載する面が形成された第１部材１０１１と、第１部材１０１１から斜め上方に延伸して傾斜角度θ１が調整自在に形成され、第１部材１０１１と共に長尺紙を積載する面が形成された第２部材１０１２と、第１部材１０１１の下方に設けられ、第１部材１０１１を支持する支持部材１０１３と、を備え、第２部材１０１２は、メイントレイ９の下方に配置される。【選択図】図４
2017159985.tif 000002
【特許請求の範囲】
【請求項１】
用紙後処理装置と、
前記用紙後処理装置に設けられ、長尺紙が排紙されるメイントレイと、
前記メイントレイに排紙された前記長尺紙を積載するトレイ装置と、
を備え、前記トレイ装置は移動自在に構成される画像形成システムであって、
前記トレイ装置は、
前記長尺紙を積載する面が形成された第１部材と、
前記第１部材から斜め上方に延伸して傾斜角度が調整自在に形成され、前記第１部材と共に前記長尺紙を積載する面が形成された第２部材と、
前記第１部材の下方に設けられ、前記第１部材を支持する支持部材と、
を備え、
前記第２部材は、
前記メイントレイの下方に配置される、
画像形成システム。
【請求項２】
前記長尺紙が前記メイントレイから落ち切るか否かは、第１の力、第２の力、及び第３の力に基づいて定まるものであって、
前記第１の力は、
前記メイントレイに前記長尺紙の後端が載置される際に生じ、
前記メイントレイと前記用紙後処理装置との間の排紙角度に応じて変動するものであり、
前記第２の力は、
前記第２部材に前記長尺紙の先端が載置される際に生じ、
前記第２部材と前記第１部材との間の前記傾斜角度に応じて変動するものであり、
前記第３の力は、
前記長尺紙が前記メイントレイから垂れ下がる際に生じ、
前記メイントレイから垂れ下がる前記長尺紙の長さに応じて変動するものであり、
前記排紙角度及び前記傾斜角度は、
前記第１の力と前記第２の力とを合わせた力が前記第３の力よりも小さくなるように設定されている、
請求項１に記載の画像形成システム。
【請求項３】
前記用紙後処理装置は、
前記長尺紙を排紙する排紙ローラーと、
前記メイントレイの設置位置を制御する位置制御部と、
をさらに備え、
前記位置制御部は、
前記長尺紙の後端が前記メイントレイに残ると設定されている場合、
前記長尺紙の先端が前記排紙ローラーから排紙されるときには前記メイントレイの設置位置を第１位置に配置させ、
前記長尺紙の後端が前記排紙ローラーから排紙されるときには前記メイントレイの設置位置を第２位置に配置させ、
前記第１位置は、
前記排紙ローラーの下方にあり、
前記第２位置は、
前記第１位置の下方にある、
請求項２に記載の画像形成システム。
【請求項４】
前記メイントレイは、
先端部材と、
前記先端部材を収納自在な後端部材と、
を備え、
前記用紙後処理装置は、
前記先端部材の位置を制御する部材制御部
をさらに備え、
前記部材制御部は、
前記長尺紙が前記メイントレイに残ると設定されている場合、前記先端部材の一部又は全部を前記後端部材に収納させる、
請求項３に記載の画像形成システム。
【請求項５】
前記部材制御部は、
前記長尺紙が前記メイントレイに残ると設定されている場合、前記長尺紙の先端が前記先端部材を通過してから前記先端部材の位置を制御する、
請求項４に記載の画像形成システム。
【請求項６】
前記用紙後処理装置は、
前記排紙ローラーの回転速度を制御する回転制御部
をさらに備え、
前記回転制御部は、
前記長尺紙が前記メイントレイに残ると設定されている場合、前記排紙ローラーの回転速度を増加させる、
請求項３〜５の何れか一項に記載の画像形成システム。
【請求項７】
前記用紙後処理装置は、
前記メイントレイに設けられ、前記長尺紙をつかむグリッパ
をさらに備え、
前記グリッパは、
前記長尺紙の坪量が小さく、前記長尺紙が前記メイントレイから落ちると設定されている場合、前記長尺紙の後端をつかむ、
請求項３〜５の何れか一項に記載の画像形成システム。
【請求項８】
前記用紙後処理装置は、
前記メイントレイに設けられ、前記長尺紙を押さえつける後端押さえ部材
をさらに備え、
前記後端押さえ部材は、
前記長尺紙が前記トレイ装置に積載される際、前記長尺紙の後端を押さえつつ、前記長尺紙を排紙させる、
請求項３〜５の何れか一項に記載の画像形成システム。
【請求項９】
前記トレイ装置は、
前記長尺紙の幅方向に沿って、前記長尺紙の排紙方向と垂直方向に移動自在な第１整合部材と、
前記第１整合部材と対向して配置され、前記長尺紙の幅方向に沿って、前記長尺紙の排紙方向と垂直方向に移動自在な第２整合部材と、
をさらに備え、
前記第１整合部材と、前記第２整合部材とは、
第１距離から第２距離に連動して位置が移動され、
前記第１距離は、
予め設定された初期状態の距離であって、前記第２距離よりも広い、
請求項３〜５の何れか一項に記載の画像形成システム。
【請求項１０】
前記トレイ装置は、
前記傾斜角度を調整自在な角度調整部材
をさらに備え、
前記角度調整部材は、
前記第２部材の前記傾斜角度を第１角度から第２角度に広げさせ、
前記第１角度は、
予め設定された初期状態の角度であって、前記第２角度よりも狭い、
請求項３〜５の何れか一項に記載の画像形成システム。
【請求項１１】
前記トレイ装置と、前記用紙後処理装置との間の距離を決める位置決め部材
をさらに備え、
前記位置決め部材は、
前記支持部材と、前記用紙後処理装置との間の距離を一定に保つ、
請求項３〜１０の何れか一項に記載の画像形成システム。
【請求項１２】
前記トレイ装置は、
前記第１部材の下流側に設けられ、位置調整自在な先端ストッパと、
前記先端ストッパの上方に設けられた取っ手と、
前記支持部材に設けられたキャスターと、
をさらに備える、
請求項３〜１１の何れか一項に記載の画像形成システム。
【発明の詳細な説明】
【技術分野】
【０００１】
本発明は、画像形成システムに関する。
【背景技術】
【０００２】
近年、印刷業界において、長尺紙の需要が高まっており、メイントレイに延長トレイを設け、画像が形成された長尺紙が排紙されるものがある。また、長尺紙等の媒体が排紙される際、延長トレイの変位を抑制して媒体の整列性を向上させるものが提案されている（例えば、特許文献１参照）。
【０００３】
また、用紙をトレイに積載していくために、トレイの形状の一部又は全部を変形させた構造が各種提案されている（例えば、特許文献２〜４参照）。
【先行技術文献】
【特許文献】
【０００４】
【特許文献１】特開２０１０−２１５３０９号公報
【特許文献２】特開平０７−２４２３６１号公報
【特許文献３】特開平０５−２１３５１０号公報
【特許文献４】特開平０４−３５８６６４号公報
【発明の概要】
【発明が解決しようとする課題】
【０００５】
しかし、従来技術において、延長トレイ及びメイントレイに長尺紙を大量積載させる場合、メイントレイの設置位置を移動自在にするとともに、メイントレイの根元部分の強度を上げる必要があるため、大幅にコストが増大する。よって、従来技術においては、コストをかけずに長尺紙を大量積載することができない。
【０００６】
本発明は、従来の課題を解決するためになされたものであり、その目的とするところは、低コストでありつつ、長尺紙を大量積載することができる画像形成システムを提供することにある。
【課題を解決するための手段】
【０００７】
上記目的を達成するため、本発明に係る画像形成システムは、用紙後処理装置と、前記用紙後処理装置に設けられ、長尺紙が排紙されるメイントレイと、前記メイントレイに排紙された前記長尺紙を積載するトレイ装置と、を備え、前記トレイ装置は移動自在に構成される画像形成システムであって、前記トレイ装置は、前記長尺紙を積載する面が形成された第１部材と、前記第１部材から斜め上方に延伸して傾斜角度が調整自在に形成され、前記第１部材と共に前記長尺紙を積載する面が形成された第２部材と、前記第１部材の下方に設けられ、前記第１部材を支持する支持部材と、を備え、前記第２部材は、前記メイントレイの下方に配置される、ものである。
【０００８】
この画像形成システムによれば、移動自在に構成されるトレイ装置の第２部材がメイントレイの下方に配置されることにより、メイントレイからトレイ装置にわたる滑らかな経路が構成されるため、低コストでありつつ、長尺紙を大量積載することができる。
【０００９】
また、本発明に係る画像形成システムにおいて、前記長尺紙が前記メイントレイから落ち切るか否かは、第１の力、第２の力、及び第３の力に基づいて定まるものであって、前記第１の力は、前記メイントレイに前記長尺紙の後端が載置される際に生じ、前記メイントレイと前記用紙後処理装置との間の排紙角度に応じて変動するものであり、前記第２の力は、前記第２部材に前記長尺紙の先端が載置される際に生じ、前記第２部材と前記第１部材との間の前記傾斜角度に応じて変動するものであり、前記第３の力は、前記長尺紙が前記メイントレイから垂れ下がる際に生じ、前記メイントレイから垂れ下がる前記長尺紙の長さに応じて変動するものであり、前記排紙角度及び前記傾斜角度は、前記第１の力と前記第２の力とを合わせた力が前記第３の力よりも小さくなるように設定されている、ことが好ましい。
【００１０】
この画像形成システムによれば、排紙角度及び傾斜角度は、第１の力と第２の力とを合わせた力が第３の力よりも小さくなるように設定されていることにより、長尺紙がメイントレイからトレイ装置に落下するため、長尺紙をトレイ装置に積載させることができる。
【００１１】
また、本発明に係る画像形成システムにおいて、前記用紙後処理装置は、前記長尺紙を排紙する排紙ローラーと、前記メイントレイの設置位置を制御する位置制御部と、をさらに備え、前記位置制御部は、前記長尺紙の後端が前記メイントレイに残ると設定されている場合、前記長尺紙の先端が前記排紙ローラーから排紙されるときには前記メイントレイの設置位置を第１位置に配置させ、前記長尺紙の後端が前記排紙ローラーから排紙されるときには前記メイントレイの設置位置を第２位置に配置させ、前記第１位置は、前記排紙ローラーの下方にあり、前記第２位置は、前記第１位置の下方にある、ことが好ましい。
【００１２】
この画像形成システムによれば、メイントレイに残っている長尺紙の部位に応じてメイントレイの設置位置が制御されることにより、長尺紙をメイントレイから落下させることができるため、長尺紙をトレイ装置に積載させることができる。
【００１３】
また、本発明に係る画像形成システムにおいて、前記メイントレイは、先端部材と、前記先端部材を収納自在な後端部材と、を備え、前記用紙後処理装置は、前記先端部材の位置を制御する部材制御部をさらに備え、前記部材制御部は、前記長尺紙が前記メイントレイに残ると設定されている場合、前記先端部材の一部又は全部を前記後端部材に収納させる、ことが好ましい。
【００１４】
この画像形成システムによれば、長尺紙がメイントレイに残ると設定されている場合、先端部材の一部又は全部を後端部材に収納させることにより、長尺紙をメイントレイから落下させることができるため、長尺紙をトレイ装置に積載させることができる。
【００１５】
また、本発明に係る画像形成システムにおいて、前記部材制御部は、前記長尺紙が前記メイントレイに残ると設定されている場合、前記長尺紙の先端が前記先端部材を通過してから前記先端部材の位置を制御する、ことが好ましい。
【００１６】
この画像形成システムによれば、長尺紙がメイントレイに残ると設定されている場合、長尺紙の先端が先端部材を通過してから先端部材の位置が制御されることにより、長尺紙がメイントレイから落下させやすくなるため、長尺紙をトレイ装置に積載させやすくすることができる。
【００１７】
また、本発明に係る画像形成システムにおいて、前記用紙後処理装置は、前記排紙ローラーの回転速度を制御する回転制御部をさらに備え、前記回転制御部は、前記長尺紙が前記メイントレイに残ると設定されている場合、前記排紙ローラーの回転速度を増加させる、ことが好ましい。
【００１８】
この画像形成システムによれば、長尺紙がメイントレイに残ると設定されている場合、排紙ローラーの回転速度が増加することにより、長尺紙の線速度を上げることができるため、長尺紙の後端がメイントレイに残ることを回避することができる。
【００１９】
また、本発明に係る画像形成システムにおいて、前記用紙後処理装置は、前記メイントレイに設けられ、前記長尺紙をつかむグリッパをさらに備え、前記グリッパは、前記長尺紙の坪量が小さく、前記長尺紙が前記メイントレイから落ちると設定されている場合、前記長尺紙の後端をつかむ、ことが好ましい。
【００２０】
この画像形成システムによれば、長尺紙の坪量が小さく、長尺紙がメイントレイから落ちると設定されている場合、長尺紙の後端がつかまれることにより、長尺紙の搬送速度を減速させることができるため、長尺紙の積載の際、長尺紙がループ状に変位することを回避することができる。
【００２１】
また、本発明に係る画像形成システムにおいて、前記用紙後処理装置は、前記メイントレイに設けられ、前記長尺紙を押さえつける後端押さえ部材をさらに備え、前記後端押さえ部材は、前記長尺紙が前記トレイ装置に積載される際、前記長尺紙の後端を押さえつつ、前記長尺紙を排紙させる、ことが好ましい。
【００２２】
この画像形成システムによれば、後端押さえ部材は、長尺紙がトレイ装置に積載される際、長尺紙の後端を押さえつつ、長尺紙を排紙させることにより、長尺紙を仕分けることができるため、長尺紙と異なるサイズの媒体を混載して排紙させることができる。
【００２３】
また、本発明に係る画像形成システムにおいて、前記トレイ装置は、前記長尺紙の幅方向に沿って、前記長尺紙の排紙方向と垂直方向に移動自在な第１整合部材と、前記第１整合部材と対向して配置され、前記長尺紙の幅方向に沿って、前記長尺紙の排紙方向と垂直方向に移動自在な第２整合部材と、をさらに備え、前記第１整合部材と、前記第２整合部材とは、第１距離から第２距離に連動して位置が移動され、前記第１距離は、予め設定された初期状態の距離であって、前記第２距離よりも広い、ことが好ましい。
【００２４】
この画像形成システムによれば、第１整合部材と、第２整合部材との間を第１距離から第２距離に狭めさせることにより、長尺紙の幅方向の積載位置が調整されるため、長尺紙の積載時の幅方向のずれを調整することができる。
【００２５】
また、本発明に係る画像形成システムにおいて、前記トレイ装置は、前記傾斜角度を調整自在な角度調整部材をさらに備え、前記角度調整部材は、前記第２部材の前記傾斜角度を第１角度から第２角度に広げさせ、前記第１角度は、予め設定された初期状態の角度であって、前記第２角度よりも狭い、ことが好ましい。
【００２６】
この画像形成システムによれば、傾斜角度が第１角度から第２角度に広げられることにより、第２部材がメイントレイから離れた位置であっても、メイントレイから第２部材にかけて滑らかな経路が確保されるため、長尺紙に屈曲跡が付くのを回避することができる。
【００２７】
また、本発明に係る画像形成システムにおいて、前記トレイ装置と、前記用紙後処理装置との間の距離を決める位置決め部材をさらに備え、前記位置決め部材は、前記支持部材と、前記用紙後処理装置との間の距離を一定に保つ、ことが好ましい。
【００２８】
この画像形成システムによれば、支持部材と、用紙後処理装置との間の距離が一定に保たれることにより、メイントレイと、第２部材との位置関係を定めることができるため、トレイ装置の位置を容易に定めることができる。
【００２９】
また、本発明に係る画像形成システムにおいて、前記トレイ装置は、前記第１部材の下流側に設けられ、位置調整自在な先端ストッパと、前記先端ストッパの上方に設けられた取っ手と、前記支持部材に設けられたキャスターと、をさらに備える、ことが好ましい。
【００３０】
この画像形成システムによれば、第１部材の下流側に、位置調整自在な先端ストッパが設けられることにより、長尺紙が滑り落ちて止まるまでの位置が定まるため、長尺紙の積載位置の端部を定めることができる。
【発明の効果】
【００３１】
本発明によれば、移動自在に構成されるトレイ装置の第２部材がメイントレイの下方に配置されることにより、メイントレイからトレイ装置にわたる滑らかな経路が構成されるため、低コストでありつつ、長尺紙を大量積載することができる。
【図面の簡単な説明】
【００３２】
【図１】本発明の実施形態における画像形成システム１の全体構成の一例を示す図である。
【図２】本発明の実施形態における画像形成装置５の構成例を示す図である。
【図３】本発明の実施形態における画像読取装置７の構成例を示す図である。
【図４】本発明の実施形態におけるトレイ装置１００１の構成例を示す図である。
【図５】本発明の実施形態におけるメイントレイ９の構成例を示す図である。
【図６】本発明の実施形態におけるメイントレイ９の他の構成例を示す図である。
【図７】本発明の実施形態における画像形成システム１の機能構成例を示す図である。
【図８】従来のメイントレイ９００の構成例を示す図である。
【発明を実施するための形態】
【００３３】
以下、図面に基づいて本発明の実施形態を説明するが、本発明は以下の実施形態に限られるものではない。
【００３４】
図１は、本発明の実施形態における画像形成システム１の全体構成の一例を示す図である。図１に示すように、画像形成システム１は、給紙装置３、画像形成装置５、画像読取装置７、及び用紙後処理装置８を備える。給紙装置３は、画像形成装置５に長尺紙を給紙する。画像形成装置５は、給紙装置３から給紙された長尺紙に画像を形成する。画像読取装置７は、画像形成装置５により画像が形成された長尺紙を読み取り、各種処理を実行する。用紙後処理装置８は、メイントレイ９を備え、画像読取装置７から搬送された長尺紙をメイントレイ９に排出する。用紙後処理装置８は、用紙Ｐをメイントレイ９に排紙する際、穿孔加工、綴じ加工、又は折り加工等を行ってもよい。メイントレイ９は、長尺紙が排紙される場合、長尺紙を積載する。メイントレイ９の下流側には、トレイ装置１００１が配置される。トレイ装置１００１は、詳細については後述するが、移動自在に構成されている。
【００３５】
図２は、本発明の実施形態における画像形成装置５の構成例を示す図である。図２に示すように、画像形成装置５は、カラー複写機の一例であり、原稿Ｔに形成された色画像を読み取ることにより画像情報を取得し、取得した画像情報に基づいて色を重ね合わせ、色画像を形成する装置である。画像形成装置５は、カラー複写機の外に、カラー用のプリンタ又はファクシミリ装置、これらの複合機等に適用して好適なものである。
【００３６】
画像形成装置５は、画像形成装置本体１１を備えている。画像形成装置本体１１の上部には、カラー用の画像読取部１２及び自動原稿送り装置１４が配設されている。画像形成装置本体１１は、詳細については後述するが、制御部４１、画像処理部４３、画像形成部６０、給紙部２０、及び搬送部３０を含む。
【００３７】
自動原稿送り装置１４は、画像読取部１２の上に設けられ、自動給紙モード時に、一枚又は複数枚の原稿Ｔを自動給紙する動作を行う。自動給紙モードは、自動原稿送り装置１４に載置された原稿Ｔを給紙し、原稿Ｔに印刷された画像を読み取る動作である。
【００３８】
画像読取部１２は、原稿Ｔに形成された色画像、すなわち、原稿Ｔに印刷された色画像を読み取る動作をする。画像読取部１２は、原稿Ｔを読み取って得たＲＧＢ表色系の画像読取信号Ｓｏｕｔを出力する。アナログの画像読取信号Ｓｏｕｔは、画像処理部４３において、アナログ処理、Ａ／Ｄ変換、シェーディング補正、画像圧縮処理、及び変倍処理等が実行される。この結果、画像読取信号Ｓｏｕｔは、Ｒ色成分、Ｇ色成分、及びＢ色成分を含むデジタルの画像データとなる。画像処理部４３は、３次元色情報変換テーブルにより、その画像データ、すなわち、ＲＧＢコードを、Ｙ（イエロー）、Ｍ（マゼンタ）、Ｃ（シアン）、及びＫ（ブラック）色の画像データ、すなわち、Ｄｙ，Ｄｍ，Ｄｃ，Ｄｋに変換する。画像処理部４３は、変換後の画像データを、画像形成部６０に含まれるＬＥＤ書き込みユニットに転送する。
【００３９】
画像形成部６０は、電子写真プロセス技術を利用したものであり、中間転写方式のカラー画像を形成する。画像形成部６０は、縦型タンデム方式が採用されている。
【００４０】
具体的には、画像形成部６０は、画像処理部４３から転送された画像データ、すなわち、Ｄｙ，Ｄｍ，Ｄｃ，Ｄｋに基づいて、色画像を形成する。画像形成部６０は、色ごとの画像形成ユニット６０１Ｙ，６０１Ｍ，６０１Ｃ，６０１Ｋと、中間転写部６２０と、トナー像を定着させる定着部６３０とを備えている。なお、電子写真プロセス技術を利用した画像形成プロセスは周知であるため、その詳細な説明については省略する。
【００４１】
給紙部２０は、給紙カセット２００及び送り出しローラー２０１等を備えている。給紙カセット２００は、用紙Ｐを収容する。送り出しローラー２０１は、給紙カセット２００に収容された用紙Ｐを取り込み、搬送部３０に送り出す。
【００４２】
搬送部３０は、搬送経路３００が構成され、搬送経路３００に従い用紙Ｐを搬送する。搬送経路３００は、給紙ローラー３０２Ａ、搬送ローラー３０２Ｂ，３０２Ｃ，３０２Ｄ、及びレジストローラー３０３等を備えている。
【００４３】
搬送経路３００は、給紙部２０から給紙された用紙Ｐを画像形成部６０に搬送する。なお、用紙Ｐの裏面にも画像形成が行われる場合、用紙Ｐの表面に対する画像形成が行われた後、用紙Ｐは、循環通紙路３０７Ａ、反転搬送路３０７Ｂ、及び再給紙搬送路３０７Ｃの順に搬送される。
【００４４】
なお、給紙装置３から長尺紙が搬送される場合、給紙カセット２００に収容された用紙Ｐは給紙部２０から搬送部３０に搬送されない。
【００４５】
画像形成装置５は、制御部４１を介して各種処理が実行される。例えば、画像読取部１２から出力される画像読取信号Ｓｏｕｔは、制御部４１を介して不図示の画像メモリ又は画像処理部４３に送信される。画像メモリは、例えば、ハードディスク等からなる。
【００４６】
制御部４１は、具体的には、不図示のＣＰＵ、ＲＯＭ、ＲＡＭ、及びＩ／Ｏインターフェースを主体として構成される。制御部４１は、ＣＰＵがＲＯＭ又は不図示の記憶部から処理内容に応じた各種プログラムを読み出し、ＲＡＭに展開し、展開した各種プログラムと協働することにより、画像形成装置５の各部の動作を制御する。
【００４７】
つまり、制御部４１は、画像形成装置５の動作を制御するものであり、不図示のＣＰＵ、ＲＯＭ、ＲＡＭ、及びＩ／Ｏインターフェースを主体に構成されたマイクロコンピュータにより実現し得るものである。制御部４１が所定の制御プログラムを実行することにより、各種機能が実現される。
【００４８】
図３は、本発明の実施形態における画像読取装置７の構成例を示す図である。画像読取装置７は、例えば、画像形成装置５から供給された用紙Ｐを受け取ると、用紙Ｐに形成された画像を第１スキャナー７０１ａ、第２スキャナー７０１ｂ、又は測色計７０３に検出させる。第１スキャナー７０１ａと対向する位置には、校正部７０５ａが配置される。第２スキャナー７０１ｂと対向する位置には、校正部７０５ｂが配置される。測色計７０３と対向する位置には、校正部７０５ｃが配置される。搬送ローラー７３１は、搬送経路７００に設けられ、上流側から下流側に用紙Ｐを搬送する。第１スキャナー７０１ａ、第２スキャナー７０１ｂ、又は測色計７０３による用紙Ｐに形成された画像の検出結果は、画像読取装置７の制御部５１に出力される。
【００４９】
制御部５１は、画像読取装置７の動作を制御するものであり、不図示のＣＰＵ、ＲＯＭ、ＲＡＭ，及びＩ／Ｏインターフェースを主体に構成されたマイクロコンピュータにより実現し得るものである。制御部４１が所定の制御プログラムを実行することにより、各種機能が実現される。
【００５０】
図４は、本発明の実施形態におけるトレイ装置１００１の構成例を示す図である。トレイ装置１００１は、第１部材１０１１と、第２部材１０１２と、支持部材１０１３とを備える。第１部材１０１１は、長尺紙を積載する面が形成されている。第２部材１０１２は、第１部材１０１１から斜め上方に延伸して傾斜角度θ１が調整自在に形成されている。第２部材１０１２は、第１部材１０１１と共に長尺紙を積載する面が形成されている。支持部材１０１３は、第１部材１０１１の下方に設けられ、第１部材１０１１を支持する。トレイ装置１００１は、第２部材１０１２がメイントレイ９の下方に配置されることにより、メイントレイ９から排紙される長尺紙を積載することができる。
【００５１】
トレイ装置１００１は、第１整合部材１０２１と、第２整合部材１０２２とをさらに備える。第１整合部材１０２１は、長尺紙の幅方向に沿って、長尺紙の排紙方向と垂直方向に移動自在である。第２整合部材１０２２は、第１整合部材１０２１と対向して配置され、長尺紙の幅方向に沿って、長尺紙の排紙方向と垂直方向に移動自在である。
【００５２】
トレイ装置１００１は、先端ストッパ１０２３と、取っ手１０２５と、キャスター１０１４とをさらに備える。先端ストッパ１０２３は、第１部材１０１１の下流側に設けられ、位置調整自在である。取っ手１０２５は、先端ストッパ１０２３の上方に設けられている。取っ手１０２５と、先端ストッパ１０２３との間は、支持棒１０２４により接続されている。キャスター１０１４は、支持部材１０１３の端部に設けられている。
【００５３】
トレイ装置１００１と、用紙後処理装置８との間には、位置決め部材１００３が設置される。位置決め部材１００３は、用紙後処理装置８と、トレイ装置１００１との間の距離を決める。位置決め部材１００３は、支持部材１０１３と、用紙後処理装置８との間の距離を一定に保つ。
【００５４】
用紙後処理装置８は、センサー８２をさらに備え、センサー８２は、例えば、反射型フォトセンサで構成される。用紙後処理装置８は、排紙ローラー８１をさらに備える。用紙後処理装置８は、排紙ローラー８１に搬送される長尺紙をセンサー８２により検知する。排紙ローラー８１から排紙される長尺紙がメイントレイ９から落ち切るか否かは、第１の力、第２の力、及び第３の力に基づいて定まる。
【００５５】
第１の力は、メイントレイ９に長尺紙の後端が載置される際に生じる。第１の力は、メイントレイ９と用紙後処理装置８との間の排紙角度θ２に応じて変動するものである。第２の力は、第２部材１０１２に長尺紙の先端が載置される際に生じる。第２の力は、第２部材１０１２と第１部材１０１１との間の傾斜角度θ１に応じて変動するものである。第３の力は、長尺紙がメイントレイ９から垂れ下がる際に生じる。第３の力は、メイントレイ９から垂れ下がる長尺紙の長さに応じて変動するものである。排紙角度θ２及び傾斜角度θ１は、第１の力と第２の力とを合わせた力が第３の力よりも小さくなるように設定されている。
【００５６】
つまり、次式（１）の関係が成立し、第１の力は、メイントレイ９上の摩擦力であり、第２の力は、長尺紙先端の摩擦力であり、第３の力は、メイントレイ９から垂れた長尺紙の重さによる力である。
【００５７】
【数１】
2017159985.tif 000003
【００５８】
ただし、Ｌ２は、オーバーラップ量ａよりも大きく、Ｌ１は、Ｌ２よりも大きく、Ｌ１とＬ２の合計Ｌが長尺紙の長さとなる。また、Ｗは長尺紙の重量とする。
【００５９】
例えば、長尺紙のサイズが、幅３００ｍ、長さ１２００ｍｍ、坪量１２８ｇ／ｍ２とすると、Ｗ＝４５．６ｇとなる。
【００６０】
そこで、Ｌ２＝３００ｍｍとすると、Ｌ１＝９００ｍｍであり、排紙角度θ２＝２３°、傾斜角度θ１＝６０°、μ１＝０．２、μ２＝０．５と仮定する。この場合、式（１）の右辺は、１４となり、式（１）の左辺の０より大きいため確実に長尺紙は滑り落ちる。
【００６１】
また、オーバーラップ量ａ＝１５０ｍｍを確保することにより、約１０００枚（４５ｋｇ相当）の積載が可能となる。
【００６２】
図５は、本発明の実施形態におけるメイントレイ９の構成例を示す図である。上記式（１）の条件を確実に満たすためには、μ２を下げることが好ましい。例えば、図５に示すように、メイントレイ９は、コロ９５と、シート固定部材９３と、滑りシート９４とを備えることが好ましい。コロ９５はシート固定部材９３の端部に設けられる。滑りシート９４は、シート固定部材９３の積載面側に設けられる。滑りシート９４は、例えば、低摩擦ゴムシートであり、ニトリルゴム又はシリコンゴム等から形成されることが好ましい。
【００６３】
また、上記式（１）の条件を確実に満たすためには、メイントレイ９の位置を下げ、実質的に排紙角度θ２を小さくすることが好ましい。また、上記式（１）の条件を確実に満たすために、メイントレイ９の長さを短くし、Ｌ２を小さくすることが好ましい。図６は、本発明の実施形態におけるメイントレイ９の他の構成例を示す図である。図６に示すよに、メイントレイ９は、先端部材９１と、後端部材９２とを備えることが好ましい。後端部材９２は、先端部材９１を収納自在である。よって、先端部材９１が後端部材９２に収納されることにより、メイントレイ９の長さを短くし、Ｌ２を小さくすることができる。
【００６４】
このように、Ｌ１と、Ｌ２とに基づき、長尺紙が自重で滑り落ちるか、又は長尺紙の後端側がメイントレイ９に残るかが決まる。仮に、Ｌ１と、Ｌ２との調整によっても、上記式（１）を満たさない場合、後述するように、メイントレイ９に、グリッパ９６又は後端押さえ部材９７を設ければよい。
【００６５】
図７は、本発明の実施形態における画像形成システム１の機能構成例を示す図である。用紙後処理装置８は、位置制御部１０４１をさらに備える。位置制御部１０４１は、メイントレイ９の設置位置を制御する。位置制御部１０４１は、長尺紙の後端がメイントレイ９に残ると設定されている場合、長尺紙の先端が排紙ローラー８１から排紙されるときにはメイントレイ９の設置位置を第１位置に配置させる。位置制御部１０４１は、長尺紙の後端がメイントレイ９に残ると設定されている場合、長尺紙の後端が排紙ローラー８１から排紙されるときにはメイントレイ９の設置位置を第２位置に配置させる。第１位置は、排紙ローラー８１の下方にある。第２位置は、第１位置の下方にある。
【００６６】
用紙後処理装置８は、部材制御部１０４２をさらに備える。部材制御部１０４２は、先端部材９１の位置を制御する。部材制御部１０４２は、長尺紙がメイントレイ９に残ると設定されている場合、先端部材９１の一部又は全部を後端部材９２に収納させる。部材制御部１０４２は、具体的には、長尺紙がメイントレイ９に残ると設定されている場合、長尺紙の先端が先端部材９１を通過してから先端部材９１の位置を制御する。
【００６７】
用紙後処理装置８は、回転制御部１０４３をさらに備える。回転制御部１０４３は、排紙ローラー８１の回転速度を制御する。回転制御部１０４３は、長尺紙がメイントレイ９に残ると設定されている場合、排紙ローラー８１の回転速度を増加させる。
【００６８】
用紙後処理装置８は、グリッパ９６をさらに備える。グリッパ９６は、メイントレイ９に設けられ、長尺紙をつかむ。グリッパ９６は、長尺紙の坪量が小さく、長尺紙がメイントレイ９から落ちると設定されている場合、長尺紙の後端をつかむ。
【００６９】
用紙後処理装置８は、後端押さえ部材９７をさらに備える。後端押さえ部材９７は、メイントレイ９に設けられ、長尺紙を押さえつける。後端押さえ部材９７は、長尺紙がトレイ装置１００１に積載される際、長尺紙の後端を押さえつつ、長尺紙を排紙させる。
【００７０】
トレイ装置１００１は、第１整合部材１０２１と、第２整合部材１０２２とは、連動して第１距離から第２距離に位置が移動される。第１距離は、予め設定された初期状態の距離であって、第２距離よりも広い。つまり、第１整合部材１０２１と、第２整合部材１０２２との間は、連動して第１距離から第２距離に狭めることができる。
【００７１】
トレイ装置１００１は、角度調整部材１０３１をさらに備える。角度調整部材１０３１は、傾斜角度θ１を調整自在である。角度調整部材１０３１は、第２部材１０１２の傾斜角度θ１を第１角度から第２角度に広げさせる。第１角度は、予め設定された初期状態の角度であって、第２角度よりも狭い。
【００７２】
図８は、従来のメイントレイ９００の構成例を示す図である。図８に示すように、メイントレイ９００は、長尺紙を積載させるために、長い形状となっている。よって、メイントレイ９００の根元部分の強度を上げる必要があるため、大幅にコストが増大する。よって、従来技術においては、コストをかけずに長尺紙を大量積載することができない。
【００７３】
一方、本実施形態においては、移動自在に構成されるトレイ装置１００１が備える第２部材１０１２がメイントレイ９の下方に配置される。よって、メイントレイ９からトレイ装置１００１にわたる滑らかな経路が構成される。したがって、画像形成システム１は、低コストでありつつ、長尺紙を大量積載することができる。
【００７４】
また、本実施形態においては、排紙角度θ２及び傾斜角度θ１は、第１の力と第２の力とを合わせた力が第３の力よりも小さくなるように設定されている。よって、長尺紙がメイントレイ９からトレイ装置１００１に落下することができる。したがって、長尺紙をトレイ装置１００１に積載させることができる。
【００７５】
また、本実施形態においては、メイントレイ９に残っている長尺紙の部位に応じてメイントレイ９の設置位置が制御される。よって、長尺紙をメイントレイ９から落下させることができる。したがって、長尺紙をトレイ装置１００１に積載させることができる。
【００７６】
また、本実施形態において、長尺紙がメイントレイ９に残ると設定されている場合、先端部材９１の一部又は全部を後端部材９２に収納させる。よって、長尺紙をメイントレイ９から落下させることができる。したがって、長尺紙をトレイ装置１００１に積載させることができる。
【００７７】
また、本実施形態において、長尺紙がメイントレイ９に残ると設定されている場合、長尺紙の先端が先端部材９１を通過してから先端部材９１の位置が制御される。よって、長尺紙がメイントレイ９から落下させやすくなる。したがって、長尺紙をトレイ装置１００１に積載させやすくすることができる。
【００７８】
また、本実施形態において、長尺紙がメイントレイ９に残ると設定されている場合、排紙ローラー８１の回転速度が増加する。よって、長尺紙の線速度を上げることができる。したがって、長尺紙の後端がメイントレイ９に残ることを回避することができる。
【００７９】
また、本実施形態において、長尺紙の坪量が小さく、長尺紙がメイントレイ９から落ちると設定されている場合、長尺紙の後端がつかまれる。よって、長尺紙の搬送速度を減速させることができる。したがって、長尺紙の積載の際、長尺紙がループ状に変位することを回避することができる。
【００８０】
また、本実施形態において、後端押さえ部材９７は、長尺紙がトレイ装置１００１に積載される際、長尺紙の後端を押さえつつ、長尺紙を排紙させる。よって、長尺紙を仕分けることができる。したがって、長尺紙と異なるサイズの媒体を混載して排紙させることができる。
【００８１】
また、本実施形態において、例えば、メイントレイ９の設置位置が排紙ローラー８１の下方に離して配置された場合、第１整合部材１０２１と、第２整合部材１０２２との間を第１距離から第２距離に狭めさせることができる。よって、長尺紙の幅方向の積載位置が調整される。したがって、長尺紙の積載時の幅方向のずれを調整することができる。
【００８２】
また、本実施形態において、例えば、第２部材１０１２がメイントレイ９から離れた位置に配置された場合、傾斜角度θ１が第１角度から第２角度に広げさせることができる。よって、第２部材１０１２がメイントレイ９から離れた位置であっても、メイントレイ９から第２部材１０１２にかけて滑らかな経路が確保される。したがって、長尺紙に屈曲跡が付くのを回避することができる。
【００８３】
また、本実施形態において、支持部材１０１３と、用紙後処理装置８との間の距離が一定に保たれる。よって、メイントレイ９と、第２部材１０１２との位置関係を定めることができる。したがって、トレイ装置１００１の位置を容易に定めることができる。
【００８４】
また、本実施形態において、第１部材１０１１の下流側に、位置調整自在な先端ストッパ１０２３が設けられる。よって、長尺紙が滑り落ちて止まるまでの位置が定まる。したがって、長尺紙の積載位置の端部を定めることができる。
【００８５】
以上、本発明に係る画像形成装置５及び画像読取装置７を実施形態に基づいて説明したが、本発明はこれに限定されるものではなく、本発明の趣旨を逸脱しない範囲で、変更を加えてもよい。
【００８６】
例えば、本実施形態においては、画像読取信号Ｓｏｕｔが、Ｒ色、Ｇ色、及びＢ色成分を含むデジタルの画像データ（ＲＧＢコード）としてＲＧＢ表色系で定まる一例について説明したが、これに限らず、Ｌ＊ａ＊ｂ＊表色系等のような異なる表色系で定まるものであってもよい。
【符号の説明】
【００８７】
１          画像形成システム
３          給紙装置
５          画像形成装置
７          画像読取装置
７００      搬送経路
７０１ａ    第１スキャナー
７０１ｂ    第２スキャナー
７０３      測色計
７０５ａ〜７０５ｃ      校正部
７３１      搬送ローラー
８          用紙後処理装置
８１        排紙ローラー
８２        センサー
９、９００  メイントレイ
９１        先端部材
９２        後端部材
９３        シート固定部材
９４        滑りシート
９５        コロ
９６        グリッパ
９７        後端押さえ部材
１１        画像形成装置本体
１２        画像読取部
１４        自動原稿送り装置
２０        給紙部
２００      給紙カセット
２０１      送り出しローラー
３０        搬送部
３００      搬送経路
３０２Ａ    給紙ローラー
３０２Ｂ，３０２Ｃ，３０２Ｄ  搬送ローラー
３０３      レジストローラー
３０７Ａ    循環通紙路
３０７Ｂ    反転搬送路
３０７Ｃ    再給紙搬送路
４１        制御部
４３        画像処理部
５１        制御部
６０        画像形成部
６０１Ｙ，６０１Ｍ，６０１Ｃ，６０１Ｋ  画像形成ユニット
６２０      中間転写部
６３０      定着部
Ｐ          用紙
１００１    トレイ装置
１００３    位置決め部材
１０１１    第１部材
１０１２    第２部材
１０１３    支持部材
１０１４    キャスター
１０２１    第１整合部材
１０２２    第２整合部材
１０２３    先端ストッパ
１０２４    支持棒
１０２５    取っ手
１０３１    角度調整部材
１０４１    位置制御部
１０４２    部材制御部
１０４３    回転制御部
【図１】
2017159985.tif 000004
【図２】
2017159985.tif 000005
【図３】
2017159985.tif 000006
【図４】
2017159985.tif 000007
【図５】
2017159985.tif 000008
【図６】
2017159985.tif 000009
【図７】
2017159985.tif 000010
【図８】
2017159985.tif 000011